(57)【要約】  戦略、目的および目標を反映するための交通信号灯表示を有する管理を提供するビジネススコアカードソフトウェアである。典型的に、これらのシステムはカプランおよびノートンバランススコアカード、また数値のスコアカード化に着目している。本発明は、目的または意図に基づく集中的および効率的な調査および検索を可能にする強化されたスコアカードに固有なメタデータを使用する方法を提供し、これによって集中した有意義なウェブポータルを作成する。管理技能は、プロセスを実施し、適切な雰囲気および文化を発達させることによって目標を達成するための能力である。本発明は、プロセスＤＮＡとして目標、プロセスおよび文化に関連して技能および知識をコード化する方法を提供し、これによって要求に応じて技能が捕捉および再利用可能となる。利点は、大きな組織システム全体での相乗効果およびウェブポータルユーザが意図を支援するための資料を見出す改善された可能性を含む。
2007520775.tif 000002
【特許請求の範囲】
【請求項１】
入力装置と、
使用時にスコアカードまたは情報の他の表現を表示するように配置されるグラフィカルユーザインタフェースと、
入力装置とグラフィカルユーザインタフェースに結合されるプロセッサと、
を備える組織管理システムであって、
前記スコアカードが前記エンティティと関連付けられる複数の指標の表現を含み、前記プロセッサが前記入力装置を使用して前記複数の指標からの指標の選択に応答し、前記指標の状態を決定する根拠を構成する複数の選択可能な個別の要素にアクセスを提供する、組織管理システム。
【請求項２】
前記選択可能な個別の要素の少なくとも１つが編集可能である請求項１記載のシステム。
【請求項３】
前記指標の状態の決定の前記根拠がチェックリストである請求項１または請求項２記載のシステム。
【請求項４】
前記指標の状態がカラーコード化され、前記指標の色が前記指標の状態に対応する請求項１記載のシステム。
【請求項５】
前記指標と関連付けられた前記情報の項目と関連付けられた追加情報が情報の前記項目の選択に応えてアクセス可能である請求項１、２、３または４記載のシステム。
【請求項６】
前記指標が主要業績評価指標（ＫＰＩ）、主要変換指標（ＫＴＩ）、または主要調査指標（ＫＳＩ）の内の１つである請求項１、２、３、４または５記載のシステム。
【請求項７】
前記指標および／または前記追加情報と関連付けられた前記情報が、情報のソースへのアクセスの状況の手段である請求項１、２、３、４、５または６記載のシステム。
【請求項８】
前記指標および／または前記指標と、前記複数の指標または前記指標と関連付けられた情報に由来する他の指標との関係性がメタデータを構成する請求項１、２、３、４、５、６または７記載のシステム。
【請求項９】
前記指標の色が前記メタデータを構成する請求項８記載のシステム。
【請求項１０】
情報の前記ソースが知識ベースである請求項７、８または９記載のシステム。
【請求項１１】
前記複数の指標の少なくとも１つが前記複数の指標の少なくとも別の１つに応じて状態を変化させる請求項１、２、３、４、５、６、７、８、９または１０記載のシステム。
【請求項１２】
プロファイルに関連性のあるコンテンツを送達するためのコンテンツ送達システムであって、前記システムがメタデータを構成する前記プロファイルを受け取り、複数の使用可能なスコアカードを解析し、前記複数のスコアカードのうち、前記プロファイルに対する可能な限り大きな関連性を有する少なくとも１つを識別するように配置されるサーバとを備え、前記スコアカードの多くがそれぞれの複数の指標およびそれに関連付けられるコンテンツとを有し、
前記サーバが前記プロファイルと関連付けられた受取人端末に、前記複数のスコアカードのうち前記少なくとも１つと関連付けられた前記コンテンツの少なくとも一部を送達することができるコンテンツ送達システム。
【請求項１３】
前記プロファイルが第１の複数の指標を備え、前記サーバが、多数の前記第１の複数の指標と多数の前記複数のスコアカードの多くのそれぞれの指標に基づいて特性値を計算することにより、前記複数のスコアカードのうち前記プロファイルに対する可能な限り大きい関連性を有する少なくとも１つを特定するように配置される請求項１２記載のシステム。
【請求項１４】
前記サーバが、前記プロファイルの少なくとも１つの指標の差異の平方和を多数の前記複数のスコアカードのそれぞれについて計算することにより、前記プロファイルに対する可能な限り大きい関連性を有する前記複数のスコアカードのうち前記少なくとも１つを算出する請求項１２または１３記載のシステム。
【請求項１５】
前記第１の特性値および第２の特性値が正規化される請求項１２、１３または１４記載のシステム。
【請求項１６】
最も関連性のある使用可能なコンテンツを決定する方法であって、
メタデータを構成するプロファイルを受け取る工程と、
複数の使用可能なスコアカードを解析し、前記プロファイルに対する可能な限り大きな関連性を有する前記複数のスコアカードのうち少なくとも１つを特定し、多数の前記複数のスコアカードがそれぞれの複数の指標およびそれと関連付けられるコンテンツを有する工程と、および
前記複数スコアカードの前記少なくとも１つと関連付けられる前記コンテンツの少なくとも一部を前記プロファイルと関連付けられる受取人端末に送達する工程とを含む方法。
【請求項１７】
コンピュータに請求項１６に記載の前記方法を実行させるためのコンピュータプログラムコード手段を備えるコンピュータプログラム要素。
【請求項１８】
コンピュータ読み取り可能媒体で具現化される請求項１７記載のコンピュータプログラム要素。
【請求項１９】
データの階層の少なくとも一部に対応するデータを備えるデータフラグメントであって、前記データが、データの新しい階層の少なくとも一部を形成するために、使用時に、データの前記階層またはデータの別の階層の少なくとも一部に対応する他のデータと結合可能であるデータフラグメント。
【請求項２０】
データの前記階層が目的の階層に対応する請求項１９記載のフラグメント。
【請求項２１】
前記データの階層の前記少なくとも一部に対応する前記データが少なくとも１つの指標とそれに関連付けられる情報を備える請求項１９または２０記載のフラグメント。
【請求項２２】
複数のデータフラグメントを備えるデータの階層であって、前記複数のデータフラグメントの内の少なくとも１つが、前記複数のデータフラグメントが所定のプロセスによって処理されるときに処理のために包含または排除されるよう選択可能であるデータの階層。
【請求項２３】
前記複数のデータフラグメントの前記少なくとも１つが請求項１９記載の前記データフラグメントである請求項２２記載のデータの階層。
【請求項２４】
請求項１９記載の複数のデータフラグメントを備える情報のデータベース。
【請求項２５】
エンティティおよびまたは情報の統計動作、検索、クラスタリング、比較、または選択の内の少なくとも１つを実行するためにメタデータを決定するための根拠を提供する、あるいは根拠として供するために、指標およびそれと関連付けられる情報を備えるデータフラグメントの使用。
【発明の詳細な説明】
【技術分野】
【０００１】
本発明はたとえば、人および組織が潜在的な相乗関係を特定できるようにし、相乗的な知識共有、協力、行動、学習をサポートするようにそれらを結合することにより、専門知識の補足、管理、変換および／または能力強化のプロセスをサポートするタイプの管理および組織開発を容易にするシステムに関する。
【背景技術】
【０００２】
「変換」として知られる重要な構造上およびプロセスの変化は、（サービス送達をサポートするために）政府および企業が戦略的な変化および優れたコーポレートガバナンスをサポートするための緊急の要件である。
【０００３】
公共部門および民間部門におけるＣＥＯ、重役およびマネージャにとっての課題が、優れた戦略および方針を作成することほどではないまでも、方針および戦略を効果的に実現することであることは広く受け入れられている。個人は特定のプロジェクト目的にリンクされる、しなければならないことのリストを用いてプロジェクトまたはプログラムを管理できる。多くの人々の組織の場合、目的および行動を管理する複雑さが効果的な配置、調整および送達を維持する能力を制限する。潜在的な規模の経済は一貫性のない目的と無調整な行動の結果非効率に至る。大部分の主要な企業と政府組織が指標を使用する。大部分はイントラネットまたはウェブサーチエンジンおよびポータルを使用する。
【０００４】
組織内のさまざまな部分のさまざまな人々がさまざまな方向で作業を行い、最悪の場合互いを取り消しあうか、最善でも互いを最適にサポートしないために、小さな組織でさえしばしば効率が悪くなり、機能しなくなる。さらに、組織および組織のネットワークは多くの場合経験から学習することができないために、同じ間違いを繰り返し犯す。この点で、ある役割または職務に就いている人は重要な知識と経験を獲得する。彼らが移動したり、交替すると、彼らの知識は彼らとともになくなってしまう。
【０００５】
サーチエンジンおよび知識発見ツールは、インターネットといわゆるイントラネットの両方において、多くの異なる目的のために作成された入手可能な情報の塊の中から、ユーザが自分達の必要とする情報を発見するのに役立つ。しかしながら、特に効果的なファイリングシステムがないときには、入手できるようになる情報の量が過剰になる場合がある。
【０００６】
また、複雑な変更プログラムなどのプロセスが考慮されているときには、得られる管理能力、つまり必要とされる管理経験、能力および技能が不十分であることが最初から明らかになる可能性がある。実際に、管理能力の欠如はたとえば、電子政府の実現などを含む大規模な変更プログラムにとっての主要な制限となる。
【発明の開示】
【０００７】
本発明の第１の態様にしたがって、入力装置と、使用時にスコアカードや情報の他の表現を表示するために配置されるグラフィカルユーザインタフェースと、該入力装置と該グラフィカルユーザインタフェースに結合されるプロセッサとを備える組織管理システムが設けられ、そこではスコアカードは、エンティティと関連付けられる複数の指標の表現を含み、プロセッサは指標の状態を決定する根拠を構成する複数の選択可能な個別の要素にアクセスを提供するために入力装置を使用して該複数の指標からのある指標の選択に応える。
【０００８】
選択可能な個別の要素の内の少なくとも１つが編集可能である。
【０００９】
指標の状態の決定の根拠はチェックシートであってよい。
【００１０】
指標の状態はカラーコード化されてよく、指標の色は指標の状態に対応する。
【００１１】
指標と関連付けられる情報の項目と関連付けられる追加の情報は、情報の項目の選択に応えてアクセス可能であってよい。
【００１２】
指標は、主要業績評価指標（ＫＰＩ）、主要変換指標（ＫＴＩ）または主要調査指標（ＫＳＩ）の１つであってよい。
【００１３】
該指標と関連付けられる情報および／または追加情報は、情報のソースへのアクセスの状況の手段であってよい。
【００１４】
該指標および／または該指標と、前記複数の指標または前記指標と関連付けられた情報に由来する他の指標との関係性がメタデータを構成してよい。
【００１５】
該指標の色は該メタデータを構成してよい。
【００１６】
情報の該ソースは知識ベースであってよい。
【００１７】
該複数の指標の少なくとも１つは該複数の指標の少なくとも別の１つに応えて状態を変化させてよい。
【００１８】
本発明の第２の態様にしたがって、プロファイルに関連するコンテンツを送達するためのコンテンツ送達システムが提供され、システムは、メタデータを構成する該プロファイルを受け取り、複数の使用可能なスコアカードを解析し、該複数のスコアカードのうち該プロファイルに対して可能な限り大きな関連性を有する少なくとも１つを特定するために配置されるサーバを備え、多くの該複数のスコアカードはそれぞれ複数の指標およびそれと関連付けられるコンテンツを有し、該サーバは該プロファイルと関連付けられる受取人端末に該複数のスコアカードの内の該少なくとも１つと関連付けられる該コンテンツの少なくとも一部を送達できる。
【００１９】
プロファイルは第１の複数の指標を備えてよく、サーバは多くの該第１の複数の指標と該複数のスコアカードの多くのそれぞれの指標に基づいて特性値を計算することによって該プロファイルに対して可能な限り大きな関連性を有する該複数のスコアカードの少なくとも１つを特定するように配置されてよい。
【００２０】
該サーバは、該プロファイルの少なくとも１つのインジケータの相違の平方和を該多くの該複数のスコアカードのそれぞれについて計算することによって該プロファイルに対して可能な限り大きな関連性を有する該複数のスコアカードの内の該少なくとも１つを計算してよい。
【００２１】
第１の特性値と第２の特性値は正規化されてよい。
【００２２】
本発明の第３の態様にしたがって、最も関連性のある入手可能なコンテンツを決定する方法が提供され、該方法は、メタデータを構成するプロファイルを受け取る工程と、複数の使用可能なスコアカードを解析し、それぞれ複数の指標とそれに関連付けられるコンテンツを有する多くの該複数のスコアカードのうち、該プロファイルに可能な限り大きな関連性を有する該複数のスコアカードの少なくとも１つを特定する工程と、該複数のスコアカードの該少なくとも１つと関連つけられる該コンテンツの少なくとも一部を、該プロファイルに関連付けられる受取人端末に送達する工程とを含む。
【００２３】
本発明の第４の態様にしたがって、本発明の第３の態様に関して前記に述べられたようにコンピュータに方法を実行させるためのコンピュータプログラムコード手段を備えるコンピュータプログラム要素が提供される。
【００２４】
コンピュータプログラム要素はコンピュータ読み取り可能媒体の上で実現されてよい。
【００２５】
本発明の第５の態様にしたがって、データの階層の少なくとも一部に対応するデータを備えるデータフラグメントが提供され、該データは、データの新しい階層の少なくとも一部を形成するために、データの該階層の少なくとも一部またはデータの別の階層に対応する他のデータと使用時に組み合わせることができる。
【００２６】
データの階層は意図の階層に対応してよい。
【００２７】
データの該階層の該少なくとも一部に対応する該データは少なくとも一つの指標およびそれと関連付けられる情報を備えてよい。
【００２８】
本発明の第６の態様にしたがって、複数のデータフラグメントを備えるデータの階層が提供され、該複数のデータフラグメントの少なくとも１つは、該複数のデータフラグメントが所定のプロセスによって処理されるときに処理のために包含または排除のために選択できる。
【００２９】
該複数のデータフラグメントのうちの該少なくとも１つは本発明の第５の態様に関して前述された通りの該データフラグメントであってよい。
【００３０】
本発明の第７の態様にしたがって、本発明の第５の態様に関して前述されたとおりの複数のデータフラグメントを備える情報のデータベースが提供される。
【００３１】
本発明の第８の態様にしたがって、エンティティおよびまたは情報の統計動作、検索、クラスタリング、比較、または選択の内の少なくとも１つを実行するためのメタデータを決定するための根拠を提供する、あるいは根拠として供するために指標およびそれと関連付けられた情報を備えるデータフラグメントの使用が提供される。
【００３２】
本明細書を通して、用語「備える（comprise)」、「備える（comprises）」、および「備えている（comprising）」は、場合によっては「含む（include）」、「含む（includes）」、および「含んでいる（including）」および「から成る（consist of）」、「から成る（consists of）」、または「から成っている（consisting of）」を適宜に意味する。
【００３３】
次の用語および略語がここで使用される。
【００３４】
「目的」は、たとえば、「財務的結果を改善する」など質的な目標である高水準の目標である。
【００３５】
「主要結果領域」または「主要業績領域」としても知られる「重要成功要因」（ＣＳＦ）は、「マージンを改善する」などの「質的な目標である中水準目標である。
【００３６】
「主要業績評価指標」（ＫＰＩ）は「％マージン＝＄売上高−（＄販売費／＄売上高）などの量的な基準である。
【００３７】
主要変換指標（ＫＴＩ）は、プロセスまたは変換の中のステータスを測定する。
【００３８】
主要調査指標（ＫＳＩ）は、調査またはアンケートの結果を測定する。
【００３９】
ＫＰＩ／ＫＳＩ／ＫＴＩに使用される一般的な用語は基準である。
【００４０】
「視野」は、財務または顧客、重大などの測定の高水準領域またはカテゴリ化である。
【００４１】
指標に至る目的の公知の階層は「意図の階層」と呼ばれる。スコアカードは意図の階層として表現された方針、プログラム、プロジェクトまたは戦略に関する現在のインジケータの集合体の一例である。複数のスコアカードは複数の組織における意図の同じ階層の実現を表現するために使用できる。視野／ＣＳＦ／ＫＰＩの階層は意図の階層の一例である。目的／ＣＳＦ／ＫＰＩは意図の階層の別の例である。本明細書を通して、「意図の階層」という考えが使用される。通常、視野／重要成功要因／主要業績評価指標の例が使用される。意図の階層は等しく高水準目標／中水準目標／低水準目標となるであろう。使用される例は任意の意図の階層と互いに交換可能であると理解されなければならない。
【００４２】
特定の目的またはＣＳＦ、あるいはＫＴＩは、たとえば、意図の階層内で現在の状況を定義する。
【００４３】
ここでは、我々は知識、セキュリティ、または他の属性をＫＰＩ、ＫＳＩまたはＫＴＩと関連付けるため、それが目的、視野、ＣＳＦと関連付けることもできると想定する。
【００４４】
本発明では、重要な特徴は特定の主要業績評価指標（ＫＰＩ）および主要変換指標（ＫＴＩ）の処理および画面上の提示である。ＫＰＩは手動で入力されるか、あるいはコンピュータシステムまたはセンサから自動的に計算されてよい。ＫＰＩの組み合わせは以下の性能管理および知識管理の特徴のあるワークフローシステムから導き出されてよい。
【００４５】
ＫＰＩは、それ自体が、そのそれぞれがたとえば、保険金請求または苦情を表現する文書を送り、管理するワークフローシステムから自動的に計算されてよい。業績管理および知識管理特徴とのワークフローシステムから導き出されるＫＰＩの組み合わせが提供されてよい。
【００４６】
変更の表示を提供するために、いわゆる主要変換指標（ＫＴＩ）が、各レベルと関連付けられる色、パターン、視覚コード、聴覚コードまたは他の知覚コードとともに、たとえば、成熟度のレベルなど、エンティティの特定の態様を表現してよい。カラーコーディングのケースでは、これらは一般的には交通信号灯として知られている。カラーコーディングの例は、赤＝低い、黄色＝中、緑＝高い、青＝非常に高いなどのレベルの評価、またはたとえば、赤＝計画なし、橙色＝計画、黄色＝計画順調ではない、緑＝計画順調である、青＝計画実行済みなどのプロジェクト、変更、または達成の評価を含む。
【００４７】
カラーコーディングのこの手法の追加の強化策では、データ値の線形または一（または二またはｎ−）次元シーケンス／アレイにおけるＫＴＩのレベルはデータベース、スプレッドシートまたは多次元データベースに記憶されてよく、各ＫＴＩの現在の状態に基づいてカラーコード化されてよい。
【００４８】
このようなＫＴＩの状態は、たとえば、売上高値などの他の業績基準と組み合わされてよく、アレイの行が異なるＫＴＩに関係し、アレイの列が異なる期間に関係する経時的な進歩を示すために、あるいは列がたとえば、異なる組織、場所、予算対実費用を参照する比較を可能とするために二次元アレイまたはスコアカードに提示されてよい。
【００４９】
表示されているとき、ＫＴＩの所与の値はワード、数またはシンボルとして表現されてよい。
【００５０】
ワードおよびチェックリストは定義されたＫＴＩの各レベルと関連付けられてよい。結果として生じるカラーコーディングおよびワードは自動的にスコアカードに表示されてよい。
【００５１】
ＫＴＩは絶対値、目標値または予測値、および実測値の差異に基づく交通信号灯として表現されてよい。
【００５２】
マウスまたはキーボードなどの入力装置またはプログラム的計算は、ＫＰＩのカラーレベルを設定し、結果として生じるカラーコーディングをＫＴＩのレベルまたは値の表示とともに記録するために使用されてよい。
【００５３】
ＫＰＩのカラーレベルは手動手段によって設定されてよい。ＫＰＩを設定する手動手段は、考えられる値のオプションまたはピックリストの集合からの選択であってよく、そのそれぞれはＫＴＩ値と関連付けられる。ＫＴＩを設定する手動手段は、チェックリストに対して評価を提供するためのユーザによる入力、および結果として生じる評価に基づいたＫＴＩ交通信号灯のシステムによる計算であってよい。
【００５４】
ＫＰＩのカラーレベルはプログラム手段によって設定されてよい。ＫＰＩを設定するプログラム手段は、たとえば、財務会計システムまたはプロジェクト管理システムにおけるカスタマアカウント承認プロセスのステータスからコンピュータデータまたは入力に基づいてＫＴＩの値を計算することによってでよい。
【００５５】
現在の発明は、ＫＴＩおよびＫＰＩに対する進捗の定義および評価を含む電子形式でプロジェクト計画または戦略を捕捉するための手段を提供する。ＫＴＩを使用すると、タスクまたは活動の完成度は、適切なレベルまたは、たとえば、赤＝開始していない、橙色＝計画済み、黄色＝開始し、軌道から外れている、緑＝開始され、軌道に乗っている、および青＝実行済みなどのタスクの完成度を選択することによって評価されてよい。
【００５６】
捕捉されたプロジェクト計画の進捗はプロジェクトのステータスを示すスコアカードを作成するために手動でまたはプログラムで評価されてよい。繰り返される評価は、経時的に進捗の傾向を示すスコアカードを自動的に作成してよい。
【００５７】
いわゆる「スーパーユーザ」のような管理特権の所定レベルのユーザ、またはコンピュータプログラムは標準化されたフォーマットで計画を捕捉し、これにより変換、方針実現または戦略実行のための計画図において専門的知識を捕捉するために使用されてよい１つまたは複数のテンプレートを定義してよい。
【００５８】
該１つまたは複数のテンプレートは、ＫＰＩ、ＫＳＩ、ＫＴＩ、目的、ＣＳＦ、または視野の所定のシーケンスでのテキスト記述、質問およびテキスト捕捉フィールドの組み合わせを可能にしてよい。１つまたは複数のテンプレートは専門的に知識を捕捉し、それを他が使用できるようにするための手段を提供してよい。ＫＴＩはたとえば、全体的なプロジェクト進捗を評価するために一度、あるいはたとえば、多くのプロセスまたはクライアント関係の成熟度を評価するために繰り返し使用されてよい。
【００５９】
少なくとも１つのテンプレートが計画テンプレートであってよい。計画テンプレートは調査定義を含んでよい。したがって、調査は計画テンプレートから作成されてよい。したがって、計画テンプレートの効果的な使用は、分析、処置および学習項目を、スコアカードの中のＫＳＩ（調査結果）と他の指標と関連付けることによってさらに改善されてよい。
【００６０】
テンプレートは、所与のテンプレートを使用して導き出されたすべての計画によって使用される定義された調査を含んでよい。計画は繰り返し実行される調査を定義してよい。調査は多くの質問から成ってよい。調査の結果は、各調査が採取された後に集計されてよい、および／またはＫＳＩ（主要調査指標）とここで示される、調査により導き出されるＫＰＩに交通信号灯として表現されてよい。ＫＳＩはＫＰＩとＫＴＩとともにスコアカードに表示されてよい。調査の結果は、スコアカードを表示することによって回答者、組織、グループまたは人々全体で比較されてよい。
【００６１】
分析、処置および学習項目は、ＫＳＩ学習項目と関連付けられてよく、分析および／または処置はエンティティ全体で比較されてよい。
【００６２】
ユーザはその現在では不完全な処置から成っている個人的なしなければならないことのリストを見てよい。
【００６３】
ユーザはたとえば、目的／ＣＳＦ／ＫＰＩなど意図の階層によって分類されるすべてのユーザのすべての処置にアクセスしてよい。すべてのユーザのすべての処置へのアクセスはセキュリティを前提としてよい。
【００６４】
・分析は、根本的原因、傾向、および観察、話、経験を記述してよい、ユーザ入力またはプログラムにより作成されるテキスト、文書、プレゼンテーション、スプレッドシートであってよい。
【００６５】
・処置は、行動計画、プロジェクト、しなければならないことのリスト、タスク、それと関連付けられている、そのそれぞれが責任のある指名された人物のある１つまたは複数のサブタスク、および／またはその完成度および／またはコストおよび／または予想される利点を示すためのワークフローステータスを有してよい処置またはマイルストーンの定義であってよい。処置は前記分析のために定義された情報のいずれかを含んでよい。
【００６６】
・学習項目は学習された特定の教訓、または得られた経験を参照する処置または分析であってよい。
【００６７】
分析はＫＴＩ、ＫＳＩまたはＫＰＩあるいはある期間におけるあるエンティティの意図の階層の任意の部分と関連付けられてよい。
【００６８】
本発明は、行動計画、マイルストーンおよび／またはたとえば、処置の完了を目的とした工程などの関連ワークフローを、ＫＴＩ、ＫＳＩまたはＫＰＩあるいはある期間におけるあるエンティティの意図の階層の任意の部分と関連付けるための手段を提供する。
【００６９】
学習された教訓は行動計画、マイルストーンで記録されてよい、および／またはＫＴＩ、ＫＳＩ、またはＫＰＩまたはある期間におけるあるエンティティの意図の階層の任意の部分と関連付けられてよい。
【００７０】
分析、処置および学習項目は、エンティティおよび／またはたとえば予算体実費などのモードを関連付けられてよい。
【００７１】
分析、処置、および学習項目は、ともにリンクされてよく、たとえば、分析は関連処置および／または学習項目を有してく、あるいは処置は関連分析および／または学習項目を有してよい。
【００７２】
各分析、処置および／または学習項目は指定されたオーナを有してよい。
【００７３】
処置またはマイルストーンのサブタスクも指定されたオーナを有してよい。
【００７４】
分析、処置および学習項目は個々のＫＴＩまたはＫＰＩと、あるいはＫＴＩ、ＫＳＩおよび／またはＫＰＩの集合体を反映するスコアカードと、あるいはの意図の階層またはエンティティの任意の一部と関連付けられてよい。
【００７５】
インターネットニュースグループおよび企業イントラネットで一般的に使用されるオンライン会話のスレッドを反映する関連文書である話し合いは、特定のＫＰＩ、ＫＳＩ、ＫＴＩ、組織と、あるいは分析、処置、または学習項目と関連付けられてよい。
【００７６】
レポートは、数値の形式であってよいＫＰＩ、テキスト評価値を含んでよいＫＴＩ、ＫＳＩまたは調査結果、交通信号灯、分析、または処置を含むように作成されてよい。要旨レポートはスコアカード全体および関連知識を要約するために自動的に作成されてよい。
【００７７】
各スコアカードおよびＫＰＩ、ＫＳＩまたはＫＴＩはオーナを有してよい。ユーザまたはユーザのグループは、ＫＰＩ、ＫＳＩまたはＫＴＩデータおよび／または分析、処置および学習項目の読者と著者のようなスコアカードオーナによって定義されてよい。
【００７８】
デフォルトによって、すべてのスコアカード、ＫＰＩ、ＫＳＩ、ＫＴＩ、分析、処置、および学習項目はすべてのユーザが利用できる、またはどのユーザも利用できないようにされてよい。スコアカードオーナは彼らのスコアカードを、他のスコアカードと関連付けられたユーザのグループが表示できるようにしてよい。この機能はピアツーピア使用のために実現されてよい。
【００７９】
スコアカードテンプレートはユーザの指定されたグループによって定義されてよい。スコアカードテンプレートはユーザのさらに指定されたグループによって計画を完了するために使用されてよい。
【００８０】
スコアカードの部分は指定されたユーザだけがアクセス可能であってよい。
【００８１】
セキュリティに関する前述の「ユーザ」または「複数のユーザ」に対する参照が、名前によってまたは役割によって、あるいは両方によってある人物を指してよいことが理解されるべきである。
【００８２】
ＫＰＩ、ＫＳＩおよびＫＴＩは、テンプレート定義および／または計画定義の中での再利用のためにライブラリに保存されてよい。
【００８３】
ＫＰＩ、ＫＳＩおよびＫＴＩのシーケンスは、目的、ＣＳＦ、または視野の下でのグループ化を含む再利用のためにグループ化または保存されてよい。あるテンプレートの特性は別のテンプレートにおける再利用に継承されてよい。
【００８４】
テンプレートは、変更なく繰り返し、および一貫してテンプレートを使用するためにロックされてよい。計画は、計画を承認後変更できないが、たとえば、スコアカードを更新するために評価だけできるようにロックされてよい。
【００８５】
ＫＰＩ、ＫＳＩ、ＫＴＩ、目的、視野および／またはＣＳＦまたはスコアカード要素および２枚以上のスコアカードからの意図の階層の任意の部分に関しての関連知識は、ハイブリッドスコアカードを作成するために結合されてよい。
【００８６】
スコアカードはブラウズされてよい、あるいはスコアカードまたはテンプレートまたはある特定の目的または意図を達成するために定義されるスコアカードのために検索が行われてよい。このような検索は、意図の階層によって定義されるプロファイルまたはメタデータに基づいて行われてよい。
【００８７】
プロファイルは、指標、またはエンティティ名または意図の階層の任意の部分の名前であってよいタグ、およびその値が単一の数またはデータ項目または複数の数から成ってよい値または代わりに順序付けられてよい、または順序付けられなくてよいデータ項目を含むデータのセットまたは順序付けられたリストまたは他の集合体として定義される。
【００８８】
プロファイルは検索エンジンおよび照会ツールの使用のためにメタデータの表現のための任意の他のフォーマットに変換されてもよい。
【００８９】
しかしながら、知識はユーザのセキュリティ権利を条件にアクセス可能であってよい。
【００９０】
１つまたは多くの組織に関する知識は、次の１つまたは複数によって順序付けられるコンテンツのポータル内の文書のリストを介してアクセスされてよい。
【００９１】
ｉ）たとえば、名前または役割などユーザ識別、
ii）たとえば該ユーザのすべての処置および／または学習項目など該ユーザのために該ユーザによって作成される個人コンテンツ
iii）組織
iv）ＫＰＩ、ＫＳＩまたはＫＴＩまたは意図の階層またはエンティティの任意の部分
ｖ）人物、組織、ＫＰＩ、ＫＳＩ／ＫＴＩまたは意図の階層またはエンティティと関連付けられる他の定義された属性または分類で、該システムおよび／またはプログラムによって定義されてよい
vi）学習様式、心理的なプロファイル、好ましい言語、価値、意見、教育水準、個人的なスコアカードのメタデータ、個人的な目的または使命、先見性、該システムおよび他のシステムの使用の履歴のいずれか、いくつかまたはすべてを含んでよいユーザの個人的なプロファイル。このプロファイルは該システムによってまたはユーザ入力によって部分的にまたは完全に自動的に作成されてよい。
【００９２】
システムがテンプレート、計画、スコアカードまたは標識の固有のメタデータまたはメタタグを、たとえば、意図の階層の中で、目的または知識の意図を識別し、知識を目的または知識の意図にリンクするために使用してよいことが理解されるべきである。ユーザの目的は、ＫＰＩ、ＫＳＩまたはＫＴＩの１つ以上、または意図の階層の任意の部分によって定義されてよい。ユーザは特定の意図に関係する知識を見直してよい。
【００９３】
「知識」に対する前記参照は分析、処置および／または学習項目に対する参照を含むことも理解されるべきである。
【００９４】
人々は目的／ＣＳＦ／基準、視野／ＣＳＦ／基準、または他の意図の階層によって分類される、または階層的に並べ替えられ、その結果システムはユーザが特定の分野に対する関心、専門的知識、または知識を有する人々の位置を突き止めることができるようにしてよい。
【００９５】
ユーザは、以下の１つまたは複数を達成するために、たとえば、入力装置を使用して、たとえばテンプレート、計画、スコアカード、ＣＳＦ、またはＫＰＩ／ＫＳＩ／ＫＴＩまたは意図の階層の任意の部分のオーナの名前を選択してよい。
【００９６】
ａ）オーナにインスタントメッセージを出す
ｂ）オーナにｅ−メールする
ｃ）オーナとディスカッションスレッドを開始する
ｄ）オーナと電話または音声で連絡する
ｅ）オーナについての情報を見つける
ｆ）オーナが属するコンタクトネットワーク、コミュニティおよび／またはグループを表示する
【００９７】
ユーザは、たとえば、スコアカードの同じ視覚的な表示を維持しながらユーザインタフェース言語間で交換してよい。選ばれた言語で自動的に翻訳されたシステムコンテンツのバージョンは表示のために選択されてよい。
【００９８】
エンティティは、それらが有する、選択されたエンティティまたは組織のスコアカードとの一致の程度に従ってベンチマーキング、比較及び知識共有のために選択されてよい。
【００９９】
組織ａに関する組織ｂの一致（Ｍ）または類似性は、統計関係性を使用して計算されてよい。
【０１００】
使用される統計関係性は次の式を使用して、差異の最小二乗であってよい。
【０１０１】
【数１】
2007520775.tif 000003
ここで、ｖaiは組織ａのベクトルＶの成分ｉの値である。Ｖは、インジケータ、ターゲット、関連知識、意図の階層、（関数ｆとして他の箇所で参照される）インジケータをイネーブルし、ディセーブルするための関数のいずれかを含んでよい組織のプロファイルを示すベクトルである。
【０１０２】
結果の一貫性のために、値フィールドと加重フィールドは、各フィールドが固定した最大値と最小値を有するように加重されてよい。値フィールドを正規化する簡略な手段は、例えば、交通信号灯または閾値に基づいて次のとおりに使用されてよい。
赤＝．２
橙＝．４
黄＝．６
緑＝．８
青＝１
【０１０３】
あるいはこの正規化は、ＫＰＩ、ＫＴＩ及びＫＳＩ全体で同程度である最大値及び最小値を生じさせる別の公式に基づいてよい。
【０１０４】
さらに、加重一致が、その優先順位または緊急性であってよい追加の基準にしたがってそれぞれの値ｖaiを加重することにより計算されてよい。加重フィールド値は０と１のあいだで正規化されてよい。
【０１０５】
所望される加重が２つの組織に対する指標の優先順位に基づいている場合、組織ａに関しての組織ｂの優先順位に基づいた加重一致Ｍpは次のように計算されてよい。
【０１０６】
【数２】
2007520775.tif 000004
ここで、ｐaiとｖaiは組織ａのベクトルＶの成分ｉのそれぞれ優先順位と値である。
【０１０７】
同様に、緊急性ｕに基づいた加重一致はＭuと計算される。
【０１０８】
【数３】
2007520775.tif 000005
【０１０９】
このような加重一致の結果はＭｕまたはＭｐで並べ替えられるリストに順序付けられてよく、組織ａに最も類似した組織をリストの中のａに最も近いとして示している。代わりに、それらは線形スケールで表示されてよく、組織ａとｂを表す点のあいだの距離はこれらの組織間の一致度を表す。スケールは、比較および理解の容易さを改善するために（たとえば、対数値を示すために）調整されてよい。
【０１１０】
多次元比較は複数の値フィールドについて一致を比較することにより行われてよい。次に結果は二次元プロットまたは他の視覚ディスプレイに表示できる。
【０１１１】
優先順位はＹ軸に表示されてよく、緊急性はＸ軸に表示されてよい。結果として生じる２次元プロットは類似する組織を視覚的に識別するために使用されてよい。
【０１１２】
これにより、組織は、優先順位に基づいて戦略的なベンチマーク組織を、緊急性に基づいて戦術的なベンチマーク組織を識別できる。
【０１１３】
前述されたプロットは、プロット点のサイズとして第３の次元を示すことによってさらに強化されてよく、プロット点の半径または面積は全体的な値一致Ｍまたはなんらかの他の変数の値を表現する。
【０１１４】
システムは、スコアカードであるエンティティのために使用される指標がスコアカードのためのメタデータの現在値に基づいて変化してよいことを確実にするために、自動化されたソフトウェアフィードバック機構を提供してよい。
【０１１５】
エンティティのためのスコアカードの中の指標は該エンティティの現在のメタデータに応じてイネーブルされてよく、または該エンティティの現在のメタデータに応じてディセーブルされてよい。
【０１１６】
このようなフィードバック機構の一例は、スコアカードメタデータで作用する関数ｆとして表現できる。スコアカードメタデータはスコアカードで使用されているＫＴＩ、ＫＳＩおよびＫＰＩの値を含んでよい値Ｖ(t)として表現されてよい。これらは指標Ｖのさらに大きな集合の部分集合である。指標（およびしたがって関係する知識）はＶの現在値に応じてディセーブルまたはイネーブルされてよい。
【０１１７】
【数４】
2007520775.tif 000006
ｆは種別の条件のマトリックスであってよい。
【０１１８】
ＩＦ条件、ＴＨＥＮ  ｖｊをイネーブル／ディセーブルする。
【０１１９】
たとえば、
ＩＦ  ｖi＞６、ＴＨＥＮ  ｖjをイネーブルする。
【０１２０】
ここに説明されている発明およびシステムは、計画−実行−確認−行動などの手法で説明される品質管理のフィードバックと改善の手法を、知識管理システムを学習し、知識管理システムにおいて学習された経験を捕捉する追加工程と結合する。
【０１２１】
したがって、組織が、その目標と特定の状況に直接的に関連性のある情報にアクセスすることによってより迅速に、かつ効果的に発展し、ベンチマークでテストし、学習できるようにすることを目的としたシステムを提供すること、およびオーナシップ、管理および場所の境界を跨ぎさえする任意の規模の組織のための処置に意図を変換することを目的としたシステムを提供することが可能である。さらに、システムは、ソフトウェアプログラムとして実現され、適切な管理プロセスによってサポートされるとき、効果的な実現戦略と方針とともに、任意の規模の組織のための効果的な実施送達エンジンとともに、実施可能な戦略と方針を定める方法を提供する。さらに、一貫した目的のセットと組織または組織のネットワーク全体での処置を合わせることを支援できる。また、システムは経験からの学習の体系的で効果的な収穫を可能にし、学習を組織または組織のネットワーク全体で他者による再利用のために使用できるようにする。人員の履歴および経験の体系的な捕捉も、彼らの役割または職務に関係する専門知識を将来の交代に利用できるように、行うこともできる。
【０１２２】
たとえば、実地学習をサポートするために再利用可能なスコアカードとして計画図、チェックリストおよびプロセスを捕捉するためのツールを使用することで、組織がその経験、能力、および技能を再利用できるようにすることによって、特に管理能力の欠如が問題であるときに能力を増大するまたは強化することができる。
【０１２３】
組織の戦略または目的にリンクされた知識を捕捉することによって、知識が、それが作成されたときにその知識がサポートする目的（複数の場合がある）に対照してフィルタにかけられ、メタタグが付けられ、「ファイル」されてよいことを保証することも可能である。その結果、知識作成、捕捉、発見および再利用の全体的なプロセスにおける重大な改善が達成される。さらに、検索はユーザが特定の目的を達成することをサポートするために迅速である場合がある。
【０１２４】
追加の優位点は、検索エンジンおよびデータベース照会のために知識を検索するため、およびこれにより有意図な焦点が当てられた情報を検索するために、１つまたは複数の指標からメタデータを生成する効果的な方法が提供されるという点である。この点では、検索基準はシステムの状態では暗示的であり、検索された情報の関連性および質を改善する一方で検索される情報量を削減するために使用でき、これによって関連性のない情報を排除し、関連性のある情報に焦点を当てる。その結果、インテリジェント検索エンジンのための減少されたニーズ、または検索エンジンが組織の目標に関係する適切にフィルタをかけられ、タグを付けられた情報（ＫＰＩ）、変化のプロセス（ＫＴＩ）および文化、意見および価値（ＫＳＩ）を使用することによって実質的にさらに効果的となる場合がある。さらに、メタデータの使用はベンチマークし、比較するための組織を選ぶ効果的な根拠となる。
【０１２５】
さらに、エンティティの目標を反映するために指標を作成することに対する投資は、知識を編成し、知識にアクセスし、プロセスの中でエンティティの目標にエンティティを集中させるために再利用され、活用される。したがって、指標を作成することに対する投資は、検索と照会に必要とされる努力を削減するために、およびより効果的なビジネスに集中したポータルの開発を可能にするために使用される。（指標を作成する）量的なビジネスインテリジェンスと（検索に対処する）質的な知識管理は別々の専門分野として処理され、別のソフトウェアプログラムを使用するため、リンクは指標の集合のあいだで管理のために使用し、検索は過去に行われなかった。
【０１２６】
また、変化と変換の進行を測定できるようにし、その結果変換のプロセスを管理できるようにすることも可能である。変化の専門的知識、つまり青写真、計画図、および変換のための工程を、ある組織の中で、あるいは複数の組織間で小さいコミュニティまたは大きなコミュニティによって体系化し、連続的に改良し、共有し、再利用することも可能である。
【０１２７】
変換および変化のプロセスが必ず動的であったとしても、管理システムの焦点が、それが測定しているシステムの進化に応えて進化するための方法を提供することも可能である。
【０１２８】
要求に応じて状況の知識検索および専門的知識に関して、組織または人々が状況、構成または意図の類似性を有するとき、潜在的な相乗効果がある。同じ指標は複数のエンティティで繰り返し使用されてよいため、あるエンティティの文脈で指標のユーザによって作成され、知識ベースで記憶される知識は、別のエンティティの状況での同じ指標のユーザによってアクセス可能である。この知識は、自動的に確立されたリンクの手段にしたがってアクセスできる。
【０１２９】
最後に変換指標を使用することにより、知識を含むチェックリストをスコアカードシステムの中に埋め込むことがさらに容易に、したがって達成可能になる。これらは情報のより濃密な記憶装置である。
【０１３０】
本発明の少なくとも１つの実施形態は、ここで添付図面に関して例によってのみ説明される。
【発明を実施するための最良の形態】
【０１３１】
以下の説明を通して、同一の参照番号が類似するパーツを識別するために使用される。
【０１３２】
図１（ａ）を参照すると、ハードウェア構成１００は、たとえば、パーソナルコンピュータ（ＰＣ）などのコンピュータなどのクライアント端末１０２を備える。ＰＣ１０２はたとえば、Ｍｉｃｒｏｓｏｆｔ  Ｉｎｔｅｒｎｅｔ  Ｅｘｐｌｏｒｅｒなどのウェブブラウザアプリケーションをサポートするように配置される。
【０１３３】
ＰＣ１０２は、たとえば、インターネット１０４などの広域ネットワーク（ＷＡＮ）に結合される。たとえばローカルデータベースを記憶し、操作できる任意の適切なサーバのようなリモートサーバ１０６も、インターネット１０４に結合される。該サーバ１０６は、この例では、ともにクライアント端末１０２に関連するウェブページを供給するために、ＩＢＭ（登録商標）から入手可能な「Ｗｅｂｓｐｈｅｒｅ」または「Ｄｏｍｉｎｏ」ソフトウェアで見られるソフトウェアポータル機能を使用するアプリケーションをサポートする。
【０１３４】
説明を簡略に、かつ明確にするために、サーバ１０６の単純な構造がここで簡略に（図１（ｂ））説明されるが、当業者はここに説明されていないサーバ１０６のさらなる複雑さを理解するであろう。しかしながら、本発明に関してさらなる複雑さは本発明の説明に直接的に関連していない。
【０１３５】
サーバ１０６は、たとえば、読取専用メモリ（ＲＯＭ）などの不揮発性メモリ１１０、およびたとえば、ランダムアクセスメモリ（ＲＡＭ）などの揮発性メモリ１１２に結合されるマイクロプロセッサのような処理装置１０８を備える。処理装置１０８も、データベース１１４と、たとえば、アプリケーションのような関連ソフトウェアを記憶することができるハードディスクドライブなどの不揮発性記憶装置に結合される。処理装置１０８は、たとえば、キーボード１１６のような第１の入力装置と、たとえば、マウス１１８のような第２の入力装置にも結合される。視覚的表示装置（ＶＤＵ）１２０などの出力装置も処理装置１０８に結合される。通信インタフェース１２２も提供され、ＰＣ１０２がインターネット１０４を介してサーバ１０６と通信できるようにするために、処理装置１０８にも結合される。
【０１３６】
ＰＣ１０２はサーバ１０６に類似した構造であるが、サーバ１０６の処理力はＰＣ１０２の処理力より大きい。ＰＣ１０２は、測定可能な形式でのエンティティの意志を表すスコアカード２１０（図２）を表示することができるグラフィカルユーザインタフェース（ＧＵＩ）をサポートする。
【０１３７】
この点において、スコアカードに埋め込まれる専門的知識は意図の階層に編成され、意図の階層を構成する（図３）。図３の上部には「エンティティ１」３０１という名前のエンティティを表すボックスがある。この下には、高水準目標３０２である視野を表すボックスがあり、この下には低水準目標３０３である重要成功要因を表現するボックスがあり、この下には成熟度重要成功要因のための関連指標３０４、つまり「定義」、「文化」、「プロセス」、「経験」および「応用」がリストされている。
【０１３８】
図４を見ると、エンティティ１のための意図の階層が再び表され、エンティティのリスクマネジメント意図の高水準目標４０１、低水準目標４０２、および指標４０３への明細が示されている。低水準目標または重要成功要因「成熟度」基準について図３で識別された主要変換指標（ＫＴＩ）は、「定義」、「文化」、「プロセス」、「経験」および「アプリケーション」の領域の目標を測定できる小さな工程に分解することによって成熟度の目標に向かって進行している。この図は、大きな意図、変換または変化のプロセスがより小さな達成可能な工程に意図の階層として分解できることを示している。ここに説明されているソフトウェアおよび装置はこの分解、および変化または変換の達成の管理も容易にする。
【０１３９】
このスコアカードは、この場合リスクマネジメントに関してエンティティの意志に対応する意図の階層を表現している。意図の階層がリスクマネジメントに関する場合、それはリスクマネジメントに関してエンティティの概略を書くための簡単な基礎（メタデータの集合）を基礎となる。
【０１４０】
一般的に、意図の階層はベンチマーキング、知識共有、および学習のために類似した組織をクラスタ化するための基礎となる。この場合には、２０４とリストされるエンティティはスコアカードおよび関連する知識によって定義されたように、カレントユーザの、およびエンティティ１のメタデータに基づいて導き出された。
【０１４１】
意図の階層は、たとえば、政府部門を、実施されている処理、およびそれらを実施している組織の文化に対する洞察を提供するＫＴＩとＫＳＩに比較するための典型的な基礎であるＫＰＩの集合を超えている。
【０１４２】
アプリケーションは、整列された目標（ＫＰＩ）、変更計画（ＫＴＩ）、整列された文化（ＫＳＩ）等を通した潜在的な学習相乗効果または提携相乗効果がある組織を特定するために使用できる。システムはユーザが見るものを希望する可能性があるかを決定するために意図の階層を使用できるため、これはすべてユーザにトランスペアレントに起こる。
【０１４３】
階層意図の明瞭さおよび焦点は組織の生産性における重要な改善のための基礎となる。その目標がどのようにして達成されるのかに関する共有された理解および該目標を達成するための積極的な協調の文化とともに整列した意図または目標を保持することで相乗効果がもたらされる。
【０１４４】
個人はいわゆる幸運な一致を経験することがある。自分が幸運であると信じることは、目標の明瞭さ、積極的な態度、および「幸運が起こる事を可能にする」ために他の人々と接していることと確実に相関していることが証明されている。チームまたは組織を共通の目標（ＫＰＩ）、変更計画（ＫＴＩ）、および積極的な文化／態度（ＫＳＩ）に集中させ、関係するＫＰＩ、ＫＴＩおよびＫＳＩを用いて個人とチームを他の個人とチームに結び付けるため、システムはチームが組織レベルで幸運を引き寄せることができるようにする。これは、システムが、組織が明確な目標に集中し、変更計画に合わせ、積極的な文化を育成することをサポートするためである。
【０１４５】
図２を参照し直すと、スコアカード２１０は、特定の式にしたがってこの例ではデータの交通信号灯化またはカラーコード化を含むデータの表形式の表示である。スコアカード２１０は、サーバ１０６によってサポートされるウェブポータルまたは仕事場を介して端末１０２のユーザによってアクセスできる。端末１０２のユーザは、通常、パスワードを用いてログインした後に、該ポータルの該ウェブページのＵＲＬを入力する、あるいは該ポータルの該ウェブページにリンクする。リンクはこの画面に、またはグラフィックメニューのあるカスタマイズされたメインナビゲータに直行してよい。スコアカード２１０は経時的に変化する指標を示し、ＫＴＩ２０１、ＫＳＩ２０２、およびＫＰＩ２０３を備える指標から成る。
【０１４６】
ＫＴＩ２０１は関係するチェックリストおよび知識によりサポートされる指標または変更の基準であり、ＫＳＩ２０２は調査から生じる意見の基準であり、ＫＰＩ２０３は主要業績評価指標またはＫＰＩとして一般的に知られている基準である。ここで示されている例のＫＰＩは費用である。この説明では、ＫＰＩは常にＫＴＩまたはＫＳＩではない指標または基準を指すであろう。
【０１４７】
ＫＴＩに関して、例示的なデータタイプ構造は以下の通りである。
【０１４８】
以下では、
「Ｉ」  （互いに素な和と呼ばれている）「ＯＲ（論理和）」を示す。
【０１４９】
「＋」  （デカルト積と呼ばれる）「ＡＮＤ（論理積）」を示す。
【０１５０】
「Ｘリスト」は０個または１個以上の要素のあるタイプＸの要素の順序付けられた数列を示す。
【０１５１】
ＫＴＩデータタイプは以下のように定義される。
【０１５２】
ＫＴＩ＝名前＋責任がある＋説明＋工程リスト＋リンクリスト
｛名前、責任者の名前、工程の説明およびリスト、およびＫＴＩに関係するＵＲＬリンク｝
工程＝短縮名＋色＋責任がある＋説明＋チェックリスト＋リンクリスト
｛その工程に関係するＵＲＬリンクのリストとともに、短縮名［典型的には、スコアカードセル内で完全に名前を示すことができるように十分に少ない］、色、説明、責任者およびその工程のための基準のチェックリスト｝
チェック＝満足の状態＋リンクリスト
｛満足の各状態はＵＲＬリンクの独自のリストを有することがある｝
リンク＝人物／接触／ユーザ｜ＵＲＬ｜知識ベース｜学習資源｜実践のコミュニティ
｛リンクは人々、システムにより生成される知識、学習資源、または実践のオンラインコミュニティ｝
【０１５３】
この例では、スコアカード２１０は第１のエンティティ「エンティティ１」に対応し、第１のエンティティへのリンクをクリックすることによって選択され、その結果エンティティ１のためのスコアカードア表示される。ＫＰＩ、ＫＴＩおよびＫＳＩは、この場合には、この例で（図中、色付きで見ることはできないが）スコアカードを横切る紺青色の線として示される視野２０５、スコアカードを横切る灰色の線として示されるＣＳＦ２０６、およびスコアカード内の白いセルと着色されたセルとして示される指標２０７である意図の階層にしたがって編成される。エンティティは、エンティティ２０４の階層（またはリスト）をクリックすることにより選択できる。指標の状態を含む選択された指標と関連付けられる知識、および要すれば指標のカラーコード化は、分析／学習２０８として識別されるポータルの左下枠の中で、および処置／学習２０９として識別されるポータルの右下枠の中でアクセス可能であるリンクを決定する。枠２０８と２０９の中に取り出された情報のソースは、過去のユーザ入力から、マスタユーザの入力から、あるいは知識ベースから導き出されてよい。
【０１５４】
このスクリーンショットはリスクマネジメントスコアカード用ソフトウェアの使用を示しているが、別の意図の階層のある同じソフトウェアが、たとえば、プロセス改善ソフトウェアと関連して効果的な管理をサポートするために使用できる。
【０１５５】
この原則画面から、ユーザは、
・別のスコアカード表示を選択するために多くのボタン２１１の内の１つをクリックする。現在のエンティティを他のエンティティと比較するスコアカードのための特定のケースが図２に示されている。
【０１５６】
・現在のエンティティに関係するリンク、当てはまる場合、ＫＰＩ、ＫＴＩまたはＫＳＩをクリックする。
【０１５７】
・ＫＴＩに関連付けられた知識まで掘り下げるためにＫＴＩ２０１、ＫＳＩ２０２またはＫＰＩ２０３を右クリックする。結果として生じるカスケード式メニューが図１１に示される。
【０１５８】
・マスタユーザはプロパティ（特性）メニュー１１０８を選ぶことによってこれらのメニューのコンテンツを表示または定義できる。ＫＴＩのためのこれらの特性を表示し、編集するために使用されるウェブ画面は図６に示される。
【０１５９】
・ユーザは、「Ａｌｌ  Ｍｙ  Ａｃｔｉｏｎｓ（すべての私の処置）」画面（図８）および「Ａｌｌ  Ａｃｔｉｏｎｓ  ａｎｄ  Ａｎａｌｙｓｅｓ（すべての処置および分析）」画面（図９）を含む関連付けられた知識ベースの異なる分類された表示をユーザに示すためのリンクを含む知識ベースの中で、情報のさまざまな表示にアクセスするためのリンクをボタンに提供するメインナビゲータに戻るためにボタン２１１をクリックしてよい。
【０１６０】
・指標のためのデータを入力するために、ユーザは簡略なデータ入力書式を使用してデータを更新するためにボタン２１２をクリックしてよい。ＫＴＩリスク１のために表示される書式は図１２に示されている。
【０１６１】
・メインナビゲータから、マスタユーザは図１３と図１４に示されるようなスコアカードテンプレートを作成するため、あるいは図１５に示されるような既存のテンプレートに記入し、記入されたテンプレート図１６からスコアカードを自動的に構築するために改善計画モジュールを選択してもよい。
【０１６２】
選択ボックス２０４に示されるエンティティのリストは、システムのユーザのセキュリティ権によって制御される。マスタユーザは、彼らのセキュリティ特権に応じて他のユーザによって見られるより多くのエンティティおよびそれらのスコアカードを見ることができる。異なるユーザは異なる指標、知識または他の情報を見てよい。
【０１６３】
ウェブポータルまたは作業場は、たとえば、人々、学習項目、リンク、教材など、さまざまな知識を枠２０８と２０９に表示できるようにするために、枠２０８と２０９のための定義（パラメータ）がユーザまたはマスタユーザによって変えることができるという点で動的である。これは、ＩＢＭ  Ｗｅｂｓｐｈｅｒｅのような汎用ウェブポータルシステムの中でソフトウェアを使用することによってもっともよく達成できる。
【０１６４】
エンティティ選択ボックス２０４の中に表示されるエンティティは、エンティティ１および／またはシステムのユーザが関連付けられるエンティティのメタデータまたは指標データに基づいて選択されるために設定できる。
【０１６５】
図２に図示されるスコアカードはＳＡＰまたはワークフローシステムのようなＥＲＰシステム内で操作されるリスクマネジメントプロセスのステータスを表示するために使用できる。
【０１６６】
この場合、
・ＫＴＩは標準プロセス（この場合はリスクマネジメント）の実施度を示すために手作業でまたは自動的に生成される。
【０１６７】
・ＫＰＩは、たとえば、送達の平均エンドツーエンド速度、特定のプロセス工程における平均時間、ワークフローのある特定の段階における項目数、あるいはこの場合では発生した費用など生じている結果のレベルを示すためにＥＲＰまたはワークフローシステムから自動的に生成される。
【０１６８】
・プロセスで利害関係者の意見を評価するために使用されるＫＳＩも記録できる。
【０１６９】
スコアカード２１０はＫＴＩとＫＰＩとＫＳＩを結合し、マネージャが管理目的でリスクマネジメントプロセスのステータスを迅速に理解できるようにする。スコアカードおよび基礎を成す知識ベースは、図２に示されるウェブポータルの手段によってユーザがアクセスする管理およびプロセスの専門的知識を埋め込む。リスクマネジメントプロセスのさまざまな態様はさまざまなワークフローシステムによってサポートされる。個々のリスクは別個のデータベースシステムで管理され、要約結果だけが説明されたシステムに送達される。
【０１７０】
定義、文化、プロセス、経験および／または応用２０７のためのＫＴＩは説明されたシステムによって捕捉される。
【０１７１】
示されているシステムは最善の慣行のリスクマネジメント方針、ＫＴＩ、ＫＰＩ、ＫＳＩおよび関係する知識の中で定義されるプロセス指針および規格の配備のために使用される。これらの指標および知識のコンテンツは専門家実践者のグローバルコミュニティの専門的知識を捕捉する。ユーザが説明されたシステムを使用すると、彼らは実践者の結合された知識と専門的知識に効果的にアクセスし、適用する。
【０１７２】
図６を参照すると、リスクマネジメント知識および専門的知識を捕捉するために、マスタユーザは図１１に示されるドロップダウンメニューの中のプロパティオプションを選択する、あるいはウェブ形式６００を表示するために図２のボタン２１４をクリックできる。図６は、マスタユーザがＫＴＩを定義することができ、システムのユーザがＫＴＩと関連付けられた知識にアクセスできるインタフェースを示す。ＫＴＩは、その性質がここで後述されるプロセスＤＮＡ６０３を備えるために指標情報６０１と知識６０２を関係させる。管理者はショートテキストラベル６０４、チェックリスト６０５、ＵＲＬリンク６０６、およびＫＴＩでカラーコード化された各工程と関連付けられる人々に接触６０７を定義できる。リンク６０６は、それらが、マスタユーザまたは専門家によって自らの知識を共有するために手動で入力される、あるいは関係する知識を取り出すために指標と関連付けられたメタデータを使用したことのある検索エンジンまたは他のプログラムによって生成される、分析、処置および学習項目（この工程での経験）を記録するシステムを使用するのでシステムのユーザによって生成できる。最も簡単な例は、指標名と意図の階層が検索エンジンのためのメタデータとして使用される場合である。
【０１７３】
図６に図示されるウェブ形式は、ＫＴＩのリスク管理専門的知識の本体の一部を捕捉するために使用された。リスクマネジメントウェブポータルは、完全な青写真を提供するために構造形式で専門的知識の多くのこのような部分を結合する。
【０１７４】
この手法を使用すると、知識、たとえば、定義、検索エンジン結果、ウェブ／イントラネットリンク、オンライン訓練コース、関係するイベントのカレンダ、関係する人々の連絡詳細をユーザが利用可能である。
【０１７５】
これらの多様な資源は、それらが関係するＫＰＩ／ＫＴＩ／ＫＳＩにしたがって記憶され、図１１に図示されるメニュー、または図２に図示される枠２０８と２０９を使用してそれらが必要とされる状況で達成される。
【０１７６】
マスタユーザまたはユーザがこれ、およびＫＴＩ、ＫＰＩ、ＫＳＩおよび関連知識を定義する他の類似した形式を完了したとき、ユーザは図２のスコアカード２１０を介して、彼らがシステムを使用することによって「ジャストインタイム」学習するようにオンデマンドで利用可能な彼らのリスクマネジメントを進行するために必要とする情報に容易にアクセスできる。
【０１７７】
図１１を見ると、ドロップダウンメニュー１１０１は、リスクマネジメントスコアカードの中のＫＴＩをマウスで右クリックすることによって作動できる。ドロップダウンメニューは適切な色１１０２でカラーコード化された工程を示す。チェックマークを付けられた項目または記入された項目はレ点が付けられたチェックボックス１１０３によって示される。チェックリスト項目はチェックマークが付けられていないチェックボックス１１０４を選択することにより記入済みとして記すことができる。カスケード式メニューオプションを明らかにするためにクリックできるメニュー選択は三角形１１０５で記され、カスケード式ドロップダウンメニュー１１０６および関係するウェブリンク１１０７を明らかにする。関係する専門的知識を持つ人々のための詳細１１０８は、ｅ−メール、インスタントメッセージおよび電話を含む多くの手段を通してアクセスすることができ、連絡することができる。
【０１７８】
システムは、ウェブベースの調査モジュール（図１０）および／または他のソフトウェアシステムおよびデータベースから調査結果を取り出す機能を提供する。調査モジュールを使用するために、マスタユーザは、ユーザが回答する質問、つまりそれらが関係する主要調査指標（ＫＳＩ）、および各ＫＳＩに関する各質問の加重を定義する。ユーザは次にマスタユーザによって定義された質問に対する調査回答を入力するためにウェブ書式に入力を行う。ユーザは適切な選択ボタン１００３をクリックすることによってその調査回答を提供するために、質問１００２に評価スケール１００１を提供される。一人または複数人の回答者による質問に対する回答が、次に交通信号灯が点灯され（カラーコード化されたフォーマットで表示され）、それらのエンティティのためのスコアカードで表示されるＫＳＩ値を計算するために集計される。この場合、調査は、結果が３つすべてのエンティティのために図５に示されるように、エンティティ１、エンティティ２およびエンティティ３によって使用された。
【０１７９】
図５を参照すると、さまざまなエンティティのためのスコアカードを比較し、さまざまなエンティティから学習するために、ユーザはボタン２１２をクリックする。図５は同じエンティティ、つまり図２のような「エンティティ１」のための結果として生じるスコアカードを示すが、今度はさまざまな期間の指標を比較するよりむしろ異なるエンティティ５０２、つまり「エンティティ２」および「エンティティ３」のための指標５０１を比較する。
【０１８０】
専門家は前記手法を使用して自分の専門的知識を有効な小さな部分に効果的に分解できるため、彼らの知識は他者によって再利用可能である。この点において、リスクマネジメントの意図に関してエンティティの進度を示すリスクマネジメントスコアカードを共有することにより、さまざまなエンティティベンチマークのマネージャは互いから学習する。図示されているポータル画面を使用して、エンティティはこの例においてリスク管理の実施に関するその進捗を比較する。エンティティごとの交通信号灯が点灯されたＫＴＩ文化は灰色のボックス５０３によって特定される。エンティティはその経験５０４とその行動計画、学習項目５０５を共有できる。ＫＴＩを定義するために使用される専門的知識は、ウェブポータルのユーザに、彼らがリスクマネジメントを理解し、実施するための彼らの特定のニーズに対処するために必要とする情報を提供するために、効果的な知識フィルタとして使用され、作用する。
【０１８１】
図２１に示されるメインナビゲータから、ユーザは、図８に類似した画面を表示する処置２１０３、図９に類似した画面を表示する分析２１０４、および学習項目を示すための表示を含む、スコアカード２１０１のさまざまな表示またはシステムの知識ベースを見るために多様なボタンを選択できる。ユーザは、ポータルのフレームまたはリンクされたウェブページでクリックすることによって、多様な異なる選択およびいくつかがボタン８０５からアクセス可能である、システムの使用によって生成され、システムに関係する知識の分類にアクセスできる。図８のウェブページは、任意のエンティティ８０２に関するアクティブなユーザ、あるいは各処置が関係する指標８０３を含む意図の階層のためのすべての処置を収集する個人８０１ユーザのための「My Actions（私の処置）」ビューを示す。これらの処置は、見直しを容易にするために表にされ、各処置のステータスおよび他の要約情報を示す。各処置は追加のウェブページに対するリンクであり、ユーザが詳細にそのステータスを見直す、または変更することができるようにする。
【０１８２】
多様な他の画面はボタン９０５からアクセス可能である。図９のウェブページは、個人９０１ユーザのための「All Actions And Analysis（すべての処置と分析）」ビューを示し、それはアクティブユーザが（エンティティの中で）見る権利を有するすべての処置と分析を収集し、任意のエンティティ９０２または各入力が関係する指標９０３を含む意図の階層を示す表を提示する。これらの処置および分析は、見直しを容易にするために表にされ、オーナまたは責任者９０４および各動作のための他の要約情報を示す。各処置および分析は追加のウェブページに対するリンクであり、ユーザが詳細にそれを見直す、またはそのステータスを変更できるようにする。
【０１８３】
ユーザが図２１に図示されるメインナビゲータからアクセスできる図２に図示されるスコアカードウェブポータルに戻ると、ユーザはスコアカードウェブポータルからデータを入力することを選ぶこともできる。図２に図示されるボタン２１２をクリックすることによって、ユーザは選択されたＫＰＩ、ＫＴＩまたはＫＳＩのための手動データ入力を選択する。図１２は指標１２０１のための手動データ入力のためのユーザインタフェースを示す。書式は、多くの期間、この場合は月１２０１のためのデータ入力フィールドを提供する。ドロップリスト１２０２は考えられる工程値を示す。ユーザは使用可能な値１２０３のドロップリストから工程値を選択する。
【０１８４】
任意の時点でのＫＴＩの値はユーザの判断に基づいて手動で、あるいは自動化されたＩＴリンクを介してシステム内でプロセスの状態に基づいて自動的に設定できる。たとえば、赤は、ＥＲＰリスクマネジメントワークフローシステムにおいてリスクのある緊急の問題が特定されたことを示すことができるであろう。青は、リスクがリスクマネジメントワークフローシステムで緩和されるとして記されたことを示すことができるであろう。
【０１８５】
図２１に図示されるシステムのメインナビゲータから、ユーザはAll My Actions（すべての私の処置）リンク２１０３をクリックすることにより処置の個人的なしなければならないことのリストを見るために選択できる。図８は、このようなリンクの１つにより表示されるウェブページを示している。ユーザは、ポータルまたはリンクされたウェブページの枠の中でクリックすることによって、多様な異なる選択、およびいくつかがボタン８０５からアクセス可能であるシステムを使用することにより生成され、システムに関係する知識の分類にアクセスできる。図８のウェブページは、個人８０１ユーザのための「My Actions（私の処置）」ビューを示し、それは各処置が関係する指標８０３を含む任意のエンティティ８０２または意図の階層に関係するアクティブユータのためのすべての処置を収集する。これらの処置は見直しを容易にするために表にされ、処置ごとのステータスおよび他の要約情報を示す。各処置は追加のウェブページに対するリンクであり、ユーザが詳細にそれを見直す、またはそのステータスを変更できるようにする。
【０１８６】
図９を参照すると、ユーザは、ポータルまたはリンクされたウェブページの枠の中をクリックすることによって、多様な選択、およびいくつかがボタン９０５からアクセス可能であるシステムを使用することにより生成され、システムに関係する知識の分類にアクセスできる。図９のウェブページは個人９０１ユーザのための「All Actions And Analysis（すべての処置および分析）」ビューを示し、それは（任意のエンティティの中で）見る権利があるすべての処置および分析を収集し、任意のエンティティ９０２または各入力が関係する指標９０３を含む意図の階層を示す表を提示する。これらの処置および分析は見直しを容易にするために表にされ、オーナまたは責任者９０４、および各処置の他の要約情報を示す。各処置および分析は追加のウェブページに対するリンクであり、ユーザがそれを詳細に見直す、あるいはそのステータスを変更できるようにする。
【０１８７】
リスクマネジメント指標は、さまざまなマスタユーザによってライブラリに保存され、図３に図示され、図２で反映される意図の階層をサポートするためにテンプレート内でともに結合される。同じ手法は、サービス改善計画および地方政府組織のためのスコアカードを作成する以下の例で使用される。
【０１８８】
図２１に示されるメインナビゲータから、マスタユーザは図１３に図示されるポータルを見るためにCreate Template link（テンプレートリンク作成）２１０２を選択できる。ユーザは既存のテンプレートを編集できるか、あるいは１３０５をクリックして新しいテンプレートを作成できるかのどちらかである。示されているポータルでは、マスタユーザは、テンプレートで再利用するために複数の指標定義を捕捉するためにテンプレートを定義する。テンプレートは多くの項１３０１に定義される。テンプレートはエンティティ１３０２の目的に関連性のある言語を使用するために定義できる。テンプレートの各項のワークフロー完了は、任意的にＫＴＩまたは工程段階的な基準１３０３を使用して評価でき、その場合段階的な基準の詳細はフィールド１３０４に書き込むことによって定義できる。注意されるように、このテンプレートによりユーザは効果的なサービス改善計画を作成できる。
【０１８９】
図１４を参照すると、指標の詳細はマスタユーザによって定義される。この場合、ユーザが自己査定ＫＴＩはテンプレートに正しく記入し、品質サービス改善計画を作成した程度を評価できるようにするために定義される１４０１。システムのユーザは、図１５に類似したウェブポータルの中の改善計画のリストを見るためにボタン１４０３をクリックすることによって、サービス改善計画を作成することを選ぶことができる。ユーザは、次に改善計画を作成する１５０３のためにボタンをクリックする。
【０１９０】
いったん定義されると、図１５は、それを記入しているユーザにテンプレートがどのように見えるのかを示す。テンプレートの作成者によって入力されたパラメータは、現在、ユーザに対するユーザインタフェースの一部として表示される。ユーザに提供されるようなテンプレートはここで改善計画と呼ばれる。１００１は、テンプレート定義で定められたテンプレートのタイトルを示す。１００２は、改善計画の中の項がどのように記入されるのかを示す。
【０１９１】
ユーザは、改善計画を定義するためにこのケースではウェブベースの形式またはポータルの内部のテンプレートに記入する。テンプレートの中に入力されるテキストデータフィールドはサービス改善計画に使用される形式のための言語を提供する。この場合、タイトルは包括的業績評価のニーモニックであるＣＰＡであり、ユーザ１５０１にテンプレートの目的を示す。ユーザ名およびセキュリティ権は、サービス改善計画１５０２を完成することによっても定義できる。
【０１９２】
いったん完成すると、サービス改善計画は意図の階層を定義し、ユーザはCreate a Scorecard（スコアカードを作成する）オプションが提示される。このボタンをクリックすると、ユーザは図１６に類似したスコアカードウェブポータルを見る。
【０１９３】
図１６は、前記図１３および図１４で作成されたテンプレートを使用して代わりに作成された図１５に記入された改善計画から生成されるスコアカードポータルを示す。計画が存在するエンティティは、組織単位またはスコアカード１６０１と呼ばれる。ポータル１６０２および１６０３の中の追加の枠は、指標が選択されていないため、選択されたスコアカードに関係する、関連付けられた知識を示している。
【０１９４】
システムは、指標が定期的に見直され、処置が講じられ、システムに記憶されるように品質管理フィードバック管理プロセスに関連して使用される。図１７を参照すると、コーチング１７０２によってサポートされてよいスコアカード１７０１にエンティティの意図を変換し、システムは計画−実行−確認−行動というフィードバックプロセス１７０３、または経験から学習し、学習される内容を記憶する工程とともに継続的改善に対する他の公知の品質管理手法を含み使用する、コーチとコーチされる人とのあいだの構造上の会話のための基礎となるので、マネジメントは効果的に改善策１７０４および組織的学習を効果的に動かすことができる。フィードバックに対する他の手法は、計画−実行−確認−行動、計画−実行−検討−実行、計画−実行−見直し、および計画−実現−評価を含み、前記のすべては管理、特に品質管理、および継続的改善のフィールドで公知である。
【０１９５】
図１８を参照すると、示されているリスクマネジメントとサービス改善計画の例の両方において、専門的知識は符号化され、テンプレート、スコアカード、ＫＰＩ、ＫＴＩ、ＫＳＩとしての再利用のために保存される。この点では、システムは、たとえば、リスクマネジメントの専門的知識をスコアカードポータルがアクセスできるようにする。
【０１９６】
ユーザは、プロセスＤＮＡとも呼ばれる指標と知識の組み合わせとして専門的知識を共有する。図示されているウェブポータルを使用して、ユーザは、Ｎａｐｓｔｅｒのようなシステムがインターネット１８０２上で作動するのと同じように、ハブ（たとえば、企業ファイルサーバ）１８０１、ピアツーピアを介して、あるいはたとえば、大企業が個人ユーザを介したアクセスのために地域サーバ間でデータを複製するためにLotus Dominoを使用するのと同じようにハブのネットワークを介して、ネットワーク内で知識にアクセスし、共有することができる。このようにして、リスクマネジメント専門的知識の本体、つまりプロセスＤＮＡはユーザＤ１８０４が使用可能であり、ユーザＡ１８０５、ユーザＢ１８０６およびユーザＣ１８０７によって生成され、ユーザが使用可能である。
【０１９７】
ポータルにおけるリスク管理専門的知識は、１つの組織内でまたは複数の組織に渡って部門によって共有できるオンラインシステムとして使用可能にされる。その結果、ピアツーピア動作がその専門的知識を共有するために個人ユーザによって使用される。
【０１９８】
ユーザの視点から、図２に示されるウェブポータル画面は同じように見えるが、選択フレーム２０４に表示されるエンティティは、図１８に図示されるようにピアツーピアネットワークによって接続された、異なった物理的なコンピュータ上で異なるユーザによって所有できる。
【０１９９】
以下はデータにどのようにしてアクセスできるのかのためのオプションを協調し、それは知識を共有するコミュニティの中で専門家とユーザを結び付ける際にソフトウェアのユーティリティに重要である。
【０２００】
ピアツーピア構成が使用されると１８０２、任意のユーザはインターネットまたはネットワーク上で直接的に任意の他のユーザとそのリスクマネジメントスコアカードを共有することを選ぶことができる。ユーザは、ｅ−メールによって、またはウェブページに入力される電子要求または他の手段によってコンテンツを共有するという望みをユーザに通知できる。
【０２０１】
リスクマネジメントスコアカードでは、エンティティ２のオーナ（または主要ユーザまたは責任のあるユーザ）が自分のスコアカードをエンティティ１のオーナと共有することを選択したため、エンティティ１のオーナは図２に示されるようにエンティティ２のためのスコアカードを見ることができる。
【０２０２】
追加のスコアカードへのアクセスを要求するため、エンティティ１のオーナにはｅ−メールの使用を含むいくつかのオプションがある。エンティティ１のオーナはエンティティ２の存在を知っていたが、システムが（後述される目的クラスタリング手法を使用して）エンティティ３をベンチマーキングと学習に適切な組織として識別し、その名称をエンティティ１のオーナに表示するまで、彼らはエンティティ３の存在に気付かなかった。
【０２０３】
エンティティ１のオーナが初めてエンティティ２のスコアカードにアクセスを試みたとき、彼らはオーナエンティティ３と自分のスコアカードを共有することを要求するオプションを与えられた。彼らはエンティティ３のオーナと自分のスコアカードを共有することを要求することを選んだ。エンティティ３のオーナは、エンティティ１のオーナが共用することを望み、受け入れられたことを知らされた。その結果、エンティティ３のためのスコアカードはエンティティ１のオーナがアクセス可能となった。エンティティ３のオーナは（エンティティ１のスコアカードを見ないのではなく、エンティティ３のスコアカードだけを共有するより）相互共有を選択し、彼らは（いくつかの指標だけを共有するのと対照的に）完全共有を選択し、役割、職能、または他の基準で選択するより、エンティティ１のすべてのユーザと共有することを選択した。
【０２０４】
再び図１８を参照すると、エンティティ１は、エンティティ１と２が、スコアカード、ＫＰＩ、ＫＴＩ、ＫＳＩから成る、意図の階層、したがってエンティティに署名する目的を定義するメタデータのプロファイル用の中央レジストリを提供するハブに加入していたためエンティティ２の存在を知っていた。その結果、ユーザ、つまり該ハブの加入者は、１８０２で表現される中心ハブに３人のユーザがリンクしている、概略で示されるハブを介してベンチマーク組織情報にアクセスする。
【０２０５】
他のハブに接続している他のエンティティからのメタデータのプロファイルは、該歯部が１８０３で示される他のハブと有する接続を通してエンティティ１が利用可能である。
【０２０６】
ベンチマーク組織は、そのメタデータプロファイルの一致に基づいてエンティティ１のオーナが利用できるようになる。この一致は多くの公知の統計方法によって計算されるようにマスタユーザによって設定できる。エンティティ３の識別に使用された最も簡略なものは最小二乗として知られ各エンティティの正規化された指標値と加重指標値のあいだの差異の二乗の和を計算することによって計算される。この場合二重加重があり、各指標は（各指標の定義された特性である関数にしたがって）０と１のあいだの比較価値を示すために正規化され、重要性と優先順位の両方のユーザ定義の加重を有する。この場合、エンティティ１のオーナは一度に識別されたただ１つの最もよく一致するベンチマーク組織を有することを選択した。（追加の組織が必要とされる場合には、システムのさらに複雑な関数により、ユーザは、別々の軸に重要性と緊急性にしたがった指標の一致を示す２次元プロットで潜在的なベンチマーク組織を示すウェブページを表示できる。）
【０２０７】
図１９に戻ると、図１９は、ポータルコンテンツがスコアカード１９１０によって定義される状況にどのように依存するのかを強調表示するウェブポータル内のソフトウェアを示している。スコアカード１９１０定義はユーザ定義の式に基づきＫＴＩ、ＫＰＩ、ＫＳＩが閾値レベルに達するにしたがって変化する。具体的には、スコアカードは、スコアカードの過去のコンテンツ、状態または値に応じて条件付きで表示される高水準目標１９０５、低水準目標１９０６および指標１９０７を示す。選択できるエンティティ１９０４のリストはスコアカードの現在の定義と状態または値に依存する。選択された指標または１９０８と１９０９に表示されるエンティティに関連付けられる知識はスコアカード１９１０に表示されるようなエンティティの状態に依存する。
【０２０８】
図１９が静的なスクリーンショットを示す一方、ポータルのコンテンツはシステム内の変化に応えて経時的に変化してきた。７月、８月および９月だけのスコアカードのスナップショットが図２０に示される。
【０２０９】
ＫＴＩ定義は、システムが文化とプロセスのＫＴＩをイネーブルし、それらを８月に測定できるようにする前に、７月に初期のレベルまたは評価に対して評価された。文化およびプロセスのＫＴＩは、システムが、経験とアプリケーションのためのＫＴＩを９月から自動的に測定できるようにする前にその場限りのレベルとなることを必要とされた。このようにして、システムはユーザが、テンプレートを定義した専門家の経験およびスコアカードが定義された指標に基づいて何が重要であったのかに焦点を当てるのに役立った。
【０２１０】
ＫＰＩ、ＫＴＩ、およびＫＳＩをイネーブルするための条件を定義することに加えて、システムは開始条件と時間遅延も提供した。その結果として、以下の命令がスコアカードに効果的に変換された。
【０２１１】
月１、５月では、１つまたは２つの主要な公知のリスクを識別することによって開始し、１つまたは２つのリスクＫＴＩ、つまりリスク１とリスク２をイネーブルする。
【０２１２】
月２、６月では、スコアカードに基づいてリスク管理を実現する目的を形式化し、目的１ＫＴＩをイネーブルし、費用ＫＰＩをイネーブルすることにより四半期ごとの費用の測定を開始する。
【０２１３】
月３では、定義ＫＴＩをイネーブルしてから、定義された条件にしたがって他のＫＴＩをイネーブルする。文化、プロセス、経験およびアプリケーションのＫＴＩをオンにするために使用される条件は以下の人間が解読可能な形式で表現される。
【０２１４】
前記関数ｆの中から例の式の例を示すと、
ＩＦ定義（ｔ）＞＝初期、ＴＨＥＮ文化とプロセスをオンにする
ＩＦ（文化（ｔ）＞＝その場限りＡＮＤプロセス（Ｔ）＞＝その場限り、ＴＨＥＮ（経験をイネーブルし、アプリケーションをイネーブルする）
これらの定義は指標と関連付けられ、指標またはプロセスＤＮＡが結合されるとき結合されてよく、それが保存されるとき保存され、それが再利用されるとき再利用される。簡単にするために、指標またはプロセスＤＮＡが現在のシステムによって作用を受けるときは必ず、指標またはプロセスＤＮＡをイネーブルおよびディセーブルするために関数ｆを実施するための関係する情報も処理される。
【０２１５】
適用されるこれらの条件の結果は図２０を参照することにより見ることができ、指標の７月のスコアカードは２００１と名前が付けられて示され、指標の８月のスコアカードは２００２と名前が付けられて示され、指標の９月のスコアカードは２００３と名前が付けられて示される。
【０２１６】
システムがどのように使用されるのかを要約し、図７を参照すると、ウェブポータルソフトウェアはいわゆるプロセスＤＮＡプール７０７で知識ベース７０７、資源（ウェブサイト等）７０８、および特定の関係する専門的知識７１０のある人々に対するリンクと結合される指標と知識に反映される専門的知識を共有するために、ユーザのグループのコミュニティによって相乗的に使用される。このプロセスＤＮＡプールは、プロセスＤＮＡプール７０７を使用して、およびプロセスＤＮＡプール７０７に関してテンプレートとしてそれぞれが開発される多岐に渡る送達ツールキット７０６で使用される。送達ツールキットの集合体は、組織の成功のための青写真を提供するプロセスＤＮＡスタック７０５を提供するために結合できる。ユーザインタフェースポータル７０４は、プロセスＤＮＡスタック７０５、送達ツールキット７０６およびプロセスＤＮＡプール７０７に対してユーザインタフェースを提供する。ユーザ７０１、コンサルタント７０２および再利用アクセスのための専門的知識の作成者７０３は、システムと対話するためにユーザインタフェース７０４を使用する。実践のコミュニティ７１１は、協調する手段としてポータルを介してシステムを使用する。多様なＩＴシステムインタフェース７１２は、資源７０９、プロセスＤＮＡプール７０７、プロセスＤＮＡスタック７０５および送達ツールキット７０６およびポータルシステムの他の態様を、データ、情報、知識、ワークフロー、およびＥＲＰシステム、インターネット等にリンクする。
【０２１７】
図２、図５、図６、図８から図１６および図１９を参照すると、システムはユーザのプロファイルを記憶し、知識提示およびユーザのためのコンテンツの深さの適切な様式を提示する。
【０２１８】
システムは、個人のスコアカードが使用可能である個人スコアカードのメタデータからだけではなく、過去のユーザアクション、選択肢、検索、ｅメール、通信等を追跡調査することの組み合わせによってそのユーザプロファイルを生成、維持する。システムは、彼らのシステムの使用および手動で入力された優先順位、ならびにユーザが視覚的な学習様式であり、彼らの好ましい言語が英語であることを示すアンケート回答に基づいて、その個人的な値、目的、好適学習様式および他の優先順位にしたがってユーザのプロファイルを記憶する。メインナビゲータからのユーザ優先順位オプションで使用可能な学習様式は、視覚――大部分はグラフィック提示、聴覚――原則媒体として音、運動感覚を使用する――感情と経験の言語を使用する、事実――論理と分析の言語を使用する。
【０２１９】
本発明の代替実施形態はコンピュータシステムと使用するためのコンピュータプログラム製品として実現でき、該コンピュータプログラム製品はたとえば、ディスケット、ＣＤ−ＲＯＭ、ＲＯＭまたは固定ディスクのような有形のデータ記録媒体に記憶される、あるいはコンピュータデータ信号に埋め込まれる一連のコンピュータ命令であって、該信号は有形の媒体あるいはマイクロ波または赤外線など無線媒体で送信される。該一連のコンピュータ命令は前述された機能性のすべてまたは一部を構成することができ、半導体、磁気、光学、または他の記憶装置などの、揮発性または不揮発性の任意の記憶装置に記憶することもできる。
【図面の簡単な説明】
【０２２０】
【図１（ａ）】本発明の実施形態をサポートするための装置の概略図である。
【図１（ｂ）】本発明の実施形態をサポートするための装置の概略図である。
【図２】図１の装置によってサポートされ、ウェブポータルを介してスコアカードを表示するウェブブラウザのスクリーンショットである。
【図３】意図の階層の概略図である。
【図４】変換の目標への分解の概略図である。
【図５】エンティティ比較画面のスクリーンショットである。
【図６】ＫＴＩを定義するときの知識および専門的知識を提供するための構成画面のスクリーンショットである。
【図７】プロセスＤＮＡおよびその際利用の概略図である。
【図８】ユーザが、すべてのユーザによって完了される処置および該ユーザの名前に対照して該システムによって記憶されるように関係する分析または説明文書を見直すことができるようにするウェブページのスクリーンショットである。
【図９】ユーザが該ユーザの名前に対照して該システムによって記憶されるように完了されるすべての処置を見直すことができるようにするウェブページのスクリーンショットである。
【図１０】ＫＳＩを決定するために使用されるオンライン調査のスクリーンショットである。
【図１１】図２のスコアカードとともに使用するためのドロップダウンメニューのスクリーンショットである。
【図１２】代替ＫＴＩデータ入力書式のスクリーンショットである。
【図１３】テンプレート作成画面のスクリーンショットである。
【図１４】ＫＴＩテンプレートを作成するための図１３のテンプレート作成画面のスクリーンショットである。
【図１５】完成したテンプレートのスクリーンショットである。
【図１６】図１５の改善計画またはテンプレートから生じたスコアカードポータルのスクリーンショットである。
【図１７】多様な管理フィードバックプロセスの方法論を図２のスコアカードとどのようにして結合できるのかに関する概略図である。
【図１８（ａ）】図１の装置とともに使用するためのネットワークアーキテクチャの概略図である。
【図１８（ｂ）】図１の装置とともに使用するためのネットワークアーキテクチャの概略図である。
【図１８（ｃ）】図１の装置とともに使用するためのネットワークアーキテクチャの概略図である。
【図１９】システム変化に応えて進化した図２のスコアカードのスクリーンショットである。
【図２０】次月のスコアカードのスクリーンショットである。
【図２１】ナビゲーションメニューのスクリーンショットである。
【図１Ａ】
2007520775.tif 000007
【図１Ｂ】
2007520775.tif 000008
【図２】
2007520775.tif 000009
【図３】
2007520775.tif 000010
【図４】
2007520775.tif 000011
【図５】
2007520775.tif 000012
【図６】
2007520775.tif 000013
【図７】
2007520775.tif 000014
【図８】
2007520775.tif 000015
【図９】
2007520775.tif 000016
【図１０】
2007520775.tif 000017
【図１１】
2007520775.tif 000018
【図１２】
2007520775.tif 000019
【図１３】
2007520775.tif 000020
【図１４】
2007520775.tif 000021
【図１５】
2007520775.tif 000022
【図１６】
2007520775.tif 000023
【図１７】
2007520775.tif 000024
【図１８】
2007520775.tif 000025
【図１９】
2007520775.tif 000026
【図２０】
2007520775.tif 000027
【図２１】
2007520775.tif 000028
【国際調査報告】
2007520775.tif 000029
2007520775.tif 000030
2007520775.tif 000031
2007520775.tif 000032